(57)【要約】【課題】  水路側溝底部に堆積した砂礫、汚泥及び汚水の清掃並びに雑草を切断除去する作業性を簡易かつ効率よく向上させることのできる側溝清掃用汎用シャベル並びに簡便、随時に装着可能なアタッチメントを提供する。【解決手段】  すくい部と柄部とを有する側溝清掃用汎用シャベルであって、  前記すくい部は、底面部と、この底面部の先端の略中央に略Ｖ字状の切り欠きを有する刃先部と、底面部の周縁に立設された側壁面部と、柄部への接続部を備えており、  前記側壁面部のうち、前記底面部の左右幅方向において対向する一対の側壁面部の少くとも一方が、前記底面部の長手方向の途中において前記刃先部の略Ｖ字状の切り欠き側に屈折し、前記一対の側壁面部と前記底面部とによって形成される角部の少くとも一方が、曲面形状であるものとする。【選択図】  図２
2018031180.tif 000002
【特許請求の範囲】
【請求項１】
すくい部と柄部とを有する側溝清掃用汎用シャベルであって、
前記すくい部は、底面部と、この底面部の先端の略中央に略Ｖ字状の切り欠きを有する刃先部と、底面部の周縁に立設された側壁面部と、柄部への接続部を備えており、
前記側壁面部のうち、前記底面部の左右幅方向において対向する一対の側壁面部の少くとも一方が、前記底面部の長手方向の途中において前記刃先部の略Ｖ字状の切り欠き側に屈折し、前記一対の側壁面部と前記底面部とによって形成される角部の少くとも一方が、曲面形状であることを特徴とする側溝清掃用汎用シャベル。
【請求項２】
前記シャベルの底面部は前記刃先部寄りの位置にて側溝底面部に対し３度以上１０度以下の角度で傾斜する傾斜面部を有していることを特徴とする請求項１に記載の側溝清掃用汎用シャベル。
【請求項３】
前記シャベルの底面部には、前記側壁面部寄りの位置に排水用の穴が設けられていることを特徴とする請求項１または２に記載の側溝清掃用汎用シャベル。
【請求項４】
すくい部と、このすくい部の裏面の左右幅方向にわたって設けられたシャベルすくい部先端部の収納部を有し、収納部にシャベルすくい部の先端の少くとも一部が挿入される側溝清掃用の汎用シャベルアタッチメントであって、
当該アタッチメントの前記すくい部は、底面部と、この底面部の先端の略中央に略Ｖ字状の切り欠きを有する刃先部と、底面部の周縁に立設された側壁面部とを備えており、
前記側壁面部のうち、前記底面部の左右幅方向において対向する一対の側壁面部の一方が、前記底面部の長手方向の途中において前記刃先部の略Ｖ字状の切り欠き側に屈折し、前記一対の側壁面部と前記底面部とによって形成される角部の少くとも一方が曲面形状であることを特徴とする側溝清掃用汎用アタッチメント。
【請求項５】
前記アタッチメントの底面部は前記刃先部寄りの位置にて側溝底面部に対し３度以上１０度以下の角度で傾斜する傾斜面部を有していることを特徴とする請求項４に記載の側溝清掃用汎用アタッチメント。
【請求項６】
前記アタッチメントの底面部には、前記側壁面部寄りの位置に排水用の穴が設けられていることを特徴とする請求項４または５に記載の側溝清掃用汎用アタッチメント。
【請求項７】
前記アタッチメントの収納部は袋状であることを特徴とする請求項４から６のうちのいずれか一項に記載の側溝清掃用汎用アタッチメント。
【請求項８】
前記アタッチメントの袋状の収納部では、左右幅方向の略中央の一部に開口が設けられていることを特徴とする請求項７に記載の側溝清掃用汎用アタッチメント。
【発明の詳細な説明】
【技術分野】
【０００１】
本発明は、水路側溝底部に堆積した砂礫、汚泥及び汚水の排出清掃並びに雑草を切断除去する作業性を簡易かつ効率よく向上させる機能を有する側溝清掃用汎用シャベルと側溝清掃用汎用アタッチメントに関するものである。
【背景技術】
【０００２】
現在水路側溝の清掃用には、土木作業用の剣先スコップ又は角スコップが一般に使用されている。両方ともすくい面が浅い皿状で容量が少ないため、ヘドロ等流動性の大きい汚泥の浚礫作業では、排出移動過程でほとんどが落下し、非効率である。また逆に、流水またはヘドロで覆われた砂礫等の堆積物のみを除去しようとする場合は、流動物が障害となり、堆積物を効率よくすくうことができない。
【０００３】
上記作業には、バケツや、穴あきスコップなどそれぞれ特別の機材を持ち替えて使う必要があり、用具の運搬保管等にも経費が掛かるほか、効率が悪い。
【０００４】
そこで、例えば、すくい部の中央底部に凹状の溜り部を設け、先端開口部に直線状の刃先部と周辺三方に側壁部を有し、刃先部が溜り部との境界線で下方に直線状に折り曲げられているスコップが提案されている（特許文献１）。しかし、このスコップでは、流水またはヘドロで覆われた砂礫等の堆積物のみを除去しようとする場合は、流動物が障害となり、堆積物を効率よくすくうことができないため、用途が限定される。
【０００５】
バケツとスコップとを持ち替える動作を簡略化して、スコップとバケツ機能とを併せ持ち、作業の簡便性を高めようとしたバケツ機能付スコップも提案されている（特許文献２）が、この場合は堆積物と流動物との区分けが難しく、身体をかがめる動作そのものが苦痛であるという大きな問題がある。
【０００６】
また、側溝清掃では、堆積物が粘土質で固かったり、礫混じりで掘削抵抗が大きい場合、側溝底面とスコップの刃先が平行になるように、中腰で柄の持ち手を下げながら力を加える必要がある。側溝内の水位が高い場合には、柄を持つ手が汚水につかることもあり、腰にかかる負担の増加と、体力の消耗が大きい。
【０００７】
この作業では、幅３００ｍｍから４００ｍｍ程度の側溝の中に両足を入れて行うことが多く、強く力を加えるためには側溝側面に対して平行にスコップを進める必要がある。
【０００８】
ただ、側溝の側面と底面の接合部分は、Ｕ字型の角度の丸みＲが４０ｍｍから５０ｍｍあるため、土木作業用のスコップでは、Ｒ面に線的にしか接触できず、堆積物をきれいに除去できない。
【０００９】
そこで、この平行にスコップを進めることを容易とするために、すくい部の下辺部分と側辺部分のなす角部を側溝の底面と内側面とのなす角部に適合させた側溝用シャベルが提案されている（特許文献３）。
【００１０】
ただ、実際の側溝清掃作業においては、狭い幅の側溝の中では柄の持ち手が、側溝側面に接触したり、それを避けるために持ち手側を側溝側面から離すとスコップ刃先が側溝側面に接する角度が大きくなり、接触面の摩擦抵抗が増大し、作業効率が著しく低下する。
【００１１】
前記の特許文献３のシャベルではこの実際上の大きな課題は解決されないままである。
【先行技術文献】
【特許文献】
【００１２】
【特許文献１】特開２０１１−１９６０９５号公報
【特許文献２】特許５６３３０３６号公報
【特許文献３】特開平８−９２９９１号公報
【発明の概要】
【発明が解決しようとする課題】
【００１３】
特許文献１−３においては、前記のとおりの、次のような問題点があった。
【００１４】
１）堆積物と流動物との区分けが簡便に可能でなく、流動物が障害となることなく堆積物を効率的にすくって除去することが容易ではない。
【００１５】
２）側溝側面にシャベルを平行に進める際に、狭い側溝の中での動きを容易にするために持ち手側を側溝側面から離すと刃先が接する角度が大きくなり、接触抵抗が増大して作業効率が低下する。
【００１６】
そして、特許文献１−３を含めて、従来では次のような課題も未解決であった。
【００１７】
３）堆積物が粘土質の固い層の場合には、粘土の塊がスコップの表面に張り付き、掘削抵抗が著しく増大するばかりでなく、張り付いた塊を頻繁にはぎとらなければ作業ができなくなり、作業効率が著しく低下する。
【００１８】
４）堆積物の固い塊の部分や、草の根等を切断する場合は、角スコップでは、切断できないことがあり、剣先スコップの場合は、尖った先端が左右に振られないようにするために、強い腕力が必要となる。
【００１９】
５）堆積物の層が、固く厚い場合は、作業者の体力に応じて掘削厚さを薄くして作業する必要があるが調節がしづらい。
【００２０】
６）一般に使用されている角スコップあるいは剣先スコップをそのまま簡便に利用したい場合、その対応策がない。
【００２１】
そこで、本発明は、以上のような従来の問題点を解消して、水路側溝底部に堆積した砂礫、汚泥及び汚水の清掃並びに雑草を切断除去する作業性を簡易かつ効率よく向上させることのできる側溝清掃用汎用シャベルを提供することを課題としている。
【００２２】
また、本発明は、一般の角スコップや剣先スコップにおいても必要な場合に随時に上記同様の課題を解決することのできる側溝清掃用汎用アタッチメントを提供する。
【課題を解決するための手段】
【００２３】
本発明は、前記課題を解決するために、以下のことを特徴とする側溝清掃用汎用シャベルを提供する。
【００２４】
１Ａ．すくい部と柄部とを有する側溝清掃用汎用シャベルであって、
前記すくい部は、底面部と、この底面部の先端の略中央に略Ｖ字状の切り欠きを有する刃先部と、底面部の周縁に立設された側壁面部と、柄部への接続部を備えており、
前記側壁面部のうち、前記底面部の左右幅方向において対向する一対の側壁面部の一方が、前記底面部の長手方向の途中において前記刃先部の略Ｖ字状の切り欠き側に屈折し、
前記一対の側壁面部と前記底面部とによって形成される角部の少くとも一方が曲面形状である。
【００２５】
２Ａ．前記シャベルの底面部は前記刃先部寄りの位置にて側溝底面部に対し３度以上１０度以下の角度で傾斜する傾斜面部を有している。
【００２６】
３Ａ．前記のシャベルの底面部には、前記側壁面部寄りの位置に排水用の穴が設けられている。
【００２７】
また、本発明は以下のことを特徴とする側溝清掃用汎用アタッチメントを提供する。
【００２８】
１Ｂ．すくい部と、このすくい部の裏面の左右幅方向にわたって設けられたシャベルすくい部先端部の収納部を有し、収納部にシャベルすくい部の先端の少くとも一部が挿入される側溝清掃用の汎用アタッチメントであって、
当該アタッチメントの前記すくい部は、底面部と、この底面部の先端の略中央に略Ｖ字状の切り欠きを有する刃先部と、底面部の周縁に立設された側壁面部とを備えており、
前記側壁面部のうち、前記底面部の左右幅方向において対向する一対の側壁面部の一方が、前記底面部の長手方向の途中において前記刃先部の略Ｖ字状の切り欠き側に屈折し、前記一対の側壁面部と前記底面部とによって形成される角部の少くとも一方が曲面形状である。
【００２９】
２Ｂ．前記アタッチメントの底面部は前記刃先部寄りの位置にて側溝底面部に対し３度以上１０度以下の角度で傾斜する傾斜面部を有している。
【００３０】
３Ｂ．前記アタッチメントの底面部には、前記側壁面部寄りの位置に排水用の穴が設けられている。
【００３１】
４Ｂ．前記アタッチメントの収納部は袋状である。
【００３２】
５Ｂ．前記アタッチメントの袋状の収納部では、左右幅方向の略中央の一部に開口が設けられている。
【発明の効果】
【００３３】
本発明の側溝清掃用汎用シャベルによれば、従来技術の問題点を解消して、水路側溝底部に堆積した砂礫、汚泥及び汚水の清掃並びに雑草を切断除去する作業性を簡易かつ効率よく向上させることができる。
【００３４】
また、本発明の側溝清掃用汎用シャベルアタッチメントによれば、上記同様の問題点を解消し、しかも一般的に使用されている角シャベルや剣先シャベルへの随時の、簡便な装着をもって上記問題点の解消が可能とされる。
【図面の簡単な説明】
【００３５】
【図１】シャベル実施形態の正面概要図である。
【図２】図１に対応する平面概要図である。
【図３】図１、図２に対応する側面概要図である。
【図４】アタッチメント実施形態の正面概要図である。
【図５】図４に対応する平面概要図である。
【図６】図４、図５に対応する側面概要図である。
【図７】アタッチメントの角シャベルへの装着例を示した斜視・一部断面概要図である。
【図８】剣先シャベルへの装着例を示した斜視概要図である。
【図９】アタッチメントのプラスチックケースへの収納・保存を例示した側面概要図である。
【発明を実施するための形態】
【００３６】
本発明の側溝清掃用汎用シャベルについては、従来より、「シャベル」あるいは「スコップ」と呼ばれてきた柄を持って土砂、汚泥等のすくい上げ除去に使用されてきた用具と同様の意味において、用語として「シャベル」に統一している。このため「スコップ」の名称のものも含まれている。
【００３７】
また、「汎用」の用語については、側溝清掃用として広く使用可能であるとの意義において用いられている形容詞である。
【００３８】
図１、図２および図３は、本発明の側溝清掃用汎用シャベルの一つの実施形態を例示した正面概要図、平面概要図および側面概要図である。
【００３９】
この実施の形態では、側溝清掃用汎用シャベルは、すくい部１と柄部２とを有している。すくい部１は、底面部１１と底面部１１の左右周縁に立設された側壁面部１２ａ、１２ｂと柄部２近傍の背壁面部１３、そして柄部２への接続部１４、さらに底面部１１の前端としての刃先部１５を備えている。
【００４０】
そして、刃先部１５には、左右幅方向の略中央に略Ｖ字状の切り欠き１５ａを設けている。
【００４１】
また、底面部１１の左右幅方向において対向する一対の側壁面部１２ａ、１２ｂの少くとも一方、すなわち、この実施形態では、一方の側壁面部１２ａは、図２に例示したように、底面部１１の長手方向の途中において、刃先部１５の略Ｖ字状の切り欠き１５ａ側に屈折する屈折部１２ａｂを有している。
【００４２】
この屈折部１２ａｂの存在によって、屈折部１２ａｂを側溝Ａに平行に矢印Ｂ方向に移動させる場合、後方の側壁面部１２ａと側溝Ａとの間には角度αの間隙が生じることになる。この角度αについては、限定的ではないが、例えば２〜５°の範囲程度とすることが好ましく考慮される。
【００４３】
さらにまた、前記一対の側壁面部１２ａ、１２ｂの各々が底面部１１とによって形成される角度が、図１に例示したように、一方の側壁面部１２ｂでは角形状ａであり、他方の側壁面部１２ａでは、側溝底面域に沿うように曲面形状ｂとしている。
【００４４】
そして、底面部１１においては、少くとも一方の側壁面部１２ａ寄りの位置に排水用の穴１６が複数設けられていることが好ましく考慮される。側壁面部１２０ａにも設けてよい。
【００４５】
さらには、底面部１１は、柄部２から前方の刃先部１５寄りの位置にて、側壁Ａの底面部に対して図３に示したように、角度βをもって傾斜していることが考慮される。この場合の角度βは、好ましくは３°以上１０°以下である。
【００４６】
もちろん、底面部１１や側壁面部１２ａ、１２ｂには強度の向上、保持のためのリブ１７を適宜に設けることができる。
【００４７】
また、このリブ１７は、清掃作業において、堆積物のすくい部１表面への張り付きを防止するためのものでもある。
【００４８】
図１から図３のようなシャベルの実施形態では、まず、前記のように、すくい部１の刃先部１５の先端の略中央に略Ｖ字状の切り欠き１５ａを有する構造としているので、粘土質の固い塊や、草の根等を切断する場合も、両側から挟み込むように切削するため、安定し左右に振られない。保管時も、先端部の中央がとがっている剣先スコップより、危険性が少ない。
【００４９】
そして、すくい部１の側壁面部１２ａの外側は刃先部側で側溝Ａ側面に接した際に２度から５度程度の内側にオフセットした構造としているので、この屈折部１２ａｂの部分において側溝Ａの側面に平行に移動させることができ、柄部２を側溝Ａの側面から離すことが可能である。このため、最も力が入りやすく楽な姿勢で図２に例示した方向Ｃに向けて操作でき、シャベルを側溝Ａの側面と刃先部側の屈折部１２ａｂの２面をガイドとして密着させ、楽に摺動させながらシャベルを進めることができる。
【００５０】
シャベルすくい部１の底面部１１には、側壁面部１２ａとで側溝Ａの底面と側面の接続部分のＲ部分に合わせた丸みを帯びた曲面形状ｂの構造としているので堆積物をきれいにすくうことができる。
【００５１】
さらには、シャベルのすくい部１の底面部１１や側壁面部１２ａ、１２ｂに連続または断続した凸部分のリブ１７を設置し、粘土質堆積物を掘削する場合に、シャベル表面への張り付きを防ぎ、掘削した粘土は、ロール状に連続した塊となり、掘削時の抵抗が減少し効率的に作業ができる。
【００５２】
シャベルの左右の側壁面部１２ａ、１２ｂ及び背壁面部１３を例えば３０ｍｍ程度立ち上げ、底面部１１および側壁面部１２ａに排水用の穴１６をあけた構造としていることから、ヘドロ等流動性の大きい汚泥の浚渫作業では、シャベルを若干内側（作業者側）に傾けながら作業を行えば、底面部１１と側壁面部１２ａ及び背壁面部１３で囲まれた三角錐の部分に汚泥を保持し、効率よく大量の流動性の排出作業を行うことができる。
【００５３】
また、逆に砂礫等の固形堆積物を除去しようとする場合で、その表面が流水またはヘドロで覆われている場合は、シャベルを若干外側に傾けながらすくい上げ作業を行えば、流動物が排水用穴１６から排出され、固形堆積物を効率良くすくうことができ、作業効率が向上する。
【００５４】
このため、本発明のシャベル一台で流動性の大きい汚泥やヘドロ等の除去排出と、砂礫等の固形堆積物の除去排出を楽な姿勢で効率よくかつ腰への負担を軽減することができる。
【００５５】
また、特別な可動部分がなく、軽量化で耐久性に優れている。
【００５６】
さらには、水害時の土のう詰め作業において土砂等を迅速に、かつ効率よく詰め込むこともできる。
【００５７】
また、図３に例示したように、すくい部１の底面部１１において、刃先部１５との境界線１８で、両者の間に角度β、好ましくは３〜１０°の角度での屈折傾斜を設け、側面Ｌ字型の構造とすることで、通常の柄部２を持って側溝Ａの底面から６００ｍｍ程度の高さで作業する場合、シャベル刃先部１５が、側溝底面と並行となり、底面にスムーズに掘削すくい上げできる角度を維持しながら最も楽な姿勢で力を入れやすいバランス構造とすることができる。
【００５８】
粘土質で固かったり、礫混じりで掘削抵抗が大きい堆積物をすくう場合でも、持ち手を下げ、腰に大きな負担をかける必要がない。特に掘削抵抗が大きい場合は、図３のＤ点を支点として柄部２の持ち手部分をわずかに上下に揺らしながら掘削すれば、刃先部１５に少しづつ切削隙間ができ、楽に作業をする事ができる。
【００５９】
厚い堆積物を数回に分けてすくう場合には、支点Ｄを中心に若干持ち手を下げ気味に固定して力を加え、刃先部１５を浮き気味とし、一定の掘削厚さを安定して保ちながら比較的少ない負担ですくい上げることができる。
【００６０】
柄部２の持ち手部分が側溝底面から６００ｍｍ程度の高さで作業するため、側溝内の水位が高い場合でも柄部２を持つ手を汚水につけることがなく、腰にかかる負担の軽減と、体力の消耗の軽減を図る効果が大きい。
【００６１】
以上の実施形態は、シャベルそのものについて例示しているが、上記同様の効果は、通常一般に使用している角シャベルや剣先シャベルに簡便に、随時に装着される本発明の側溝清掃用汎用アタッチメントにおいても実現される。
【００６２】
図４から図９はこのアタッチメントの実施形態を例示している。
【００６３】
図４から図６の実施の形態では、側溝清掃用汎用アタッチメントは、すくい部１００を有している。すくい部１００は、底面部１１０と底面部１１０の左右周縁に立設された側壁面部１２０ａ、１２０ｂと背壁面部１３０、そして、アタッチメントが装着されるシャベル２００のすくい部２００ａの先端部を収納する収納部１９０とシャベル２００の柄部への取付け部３００、さらに底面部１１０の前端としての刃先部１５０を備えている。
【００６４】
そして刃先部１５０には、左右幅方向の略中央に略Ｖ字状の切り欠き１５０ａを設けている。
【００６５】
また、底面部１１０の左右幅方向において対向する一対の側壁面部１２０ａ、１２０ｂの少くとも一方、すなわち、この実施形態では、一方の側壁面部１２０ａは、図５に例示したように、底面部１１０の長手方向の途中において、刃先部１５０の略Ｖ字状の切り欠き１５０ａ側に屈折する屈折部１２０ａｂを有している。この屈折部１２０ａｂの存在によって、屈折部１２０ａｂを側溝Ａに平行に矢印Ｂ方向に移動させる場合、後方の側壁面部１２０ａと側溝Ａとの間には角度αの間隙が生じることになる。この角度αについては、限定的ではないが、例えば２〜５°の範囲程度とすることが好ましく考慮される。
【００６６】
さらにまた、前記一対の側壁面部１２０ａ、１２０ｂの各々が底面部１１０とによって形成される角度が、図４に例示したように、一方の側壁面部１２０ｂでは角形状ａであり、他方の側壁面部１２０ａでは、側溝底面域に沿うように曲面形状ｂとしている。そして、底面部１１０においては、少くとも一方の側壁面部１２０ａ寄りの位置に排水用の穴１６０が複数設けられていることが好ましく考慮される。側壁面部１２０ａにも設けてよい。
【００６７】
さらには、底面部１１０は、刃先部１５０寄りの位置にて、側溝Ａの底面部に対して、図６に示したように、角度βをもって傾斜していることが考慮される。この場合の角度βは、好ましくは３°以上１０°以下である。
【００６８】
もちろん、底面部１１０や側壁面部１２０ａ、１２０ｂには強度の向上、保持のためのリブ１７０を適宜に設けることができる。
【００６９】
また、このリブ１７０は、清掃作業において、堆積物のすくい部１００表面への張り付きを防止するためのものでもある。
【００７０】
図４から図６のようなアタッチメントの実施形態では、まず、前記のように、すくい部１００の刃先部１５０の先端の略中央に略Ｖ字状の切り欠き１５０ａを有する構造としているので、粘土質の固い塊や、草の根等を切断する場合も、両側から挟み込むように切削するため、安定し左右に振られない。保管時も、先端部の中央が尖っている剣先スコップより、危険性が少ない。
【００７１】
そして、すくい部１００の側壁面部１２０ａの外側は刃先部側で側溝Ａ側面に接した際に２度から５度程度の内側にオフセットした構造としているので、この屈折部１２０ａｂの部分において側溝Ａの側面に平行に移動させることができ、シャベル２００の柄部を側溝Ａの側面から離すことが可能である。このため、最も力が入りやすく楽な姿勢で図５に例示した方向Ｃに向けて操作でき、シャベルを側溝Ａの側面と刃先部側の屈折部１２０ａｂの２面をガイドとして密着させ、楽に摺動させながらシャベルを進めることができる。
【００７２】
シャベルすくい部１００の底面部１１０には、側壁面部１２０ａとで側溝Ａの底面と側面の接続部分のＲ部分に合わせた丸みを帯びた曲面形状ｂの構造としているので堆積物をきれいにすくう事ができる。
【００７３】
さらには、シャベルのすくい部１の底面部１１０や側壁面部１２０ａ、１２０ｂに連続または断続した凸部分のリブ１７０を設置し、粘土質堆積物を掘削する場合に、シャベル表面への張り付きを防ぎ、掘削した粘土は、ロール状に連続した塊となり、掘削時の抵抗が減少し効率的に作業ができる。
【００７４】
左右の側壁面部１２０ａ、１２０ｂ及び背壁面部１３０を例えば３０ｍｍ程度立ち上げ、底面部１１０および側壁面部１２０ａに排水用の穴１６０をあけた構造としていることから、ヘドロ等流動性の大きい汚泥の浚渫作業では、シャベルを若干内側（作業者側）に傾けながら作業を行えば、底面部１１０と側壁面部１２０ａ及び背壁面部１３０で囲まれた三角錐の部分に汚泥を保持し、効率よく大量の流動物の排出作業を行うことができる。
【００７５】
また、逆に砂礫等の固形堆積物を除去しようとする場合で、その表面が流水またはヘドロで覆われている場合は、シャベルを若干外側に傾けながらすくい上げ作業を行えば、流動物が排水用穴１６０から排出され、固形堆積物を効率よくすくうことができ、作業効率が向上する。
【００７６】
このため、本発明のアタッチメントの装着だけで流動性の大きい汚泥やヘドロ等の除去排出と、砂礫等の固形堆積物の除去排出を楽な姿勢で効率良くかつ腰への負担を軽減することができる。
【００７７】
また、特別な可動部分がなく、軽量化で耐久性に優れている。
【００７８】
さらには、水害時の土のう詰め作業において土砂等を迅速に、かつ効率よく詰め込むこともできる。
【００７９】
また、図６に例示したように、すくい部１００の底面部１１０において、刃先部１５０との境界線１８０で、両者の間に角度β、好ましくは３〜１０°の角度での屈折傾斜を設け、側面Ｌ字型の構造とすることで、通常のシャベル２００の柄部を持って側溝Ａの底面から６００ｍｍ程度の高さで作業する場合、シャベル刃先部１５０が、側溝底面と並行となり、底面に沿ってスムーズに掘削すくい上げできる角度を維持しながら最も楽な姿勢で力を入れやすいバランス構造とすることができる。
【００８０】
粘土質で固かったり、礫混じりで掘削抵抗が大きい堆積物をすくう場合でも、持ち手を下げ、腰に大きな負担をかける必要がない。特に掘削抵抗が大きい場合は、図６のＤ点を支点としてシャベル２００の柄部の持ち手部分をわずかに上下に揺らしながら掘削すれば、刃先部１５０に少しづつ切削隙間ができ、楽に作業する事ができる。
【００８１】
厚い堆積物を数回に分けてすくう場合には、支点Ｄを中心に若干持ち手を下げ気味に固定して力を加え、刃先部１５０を浮き気味とし、一定の掘削厚さを安定して保ちながら比較的少ない負担ですくい上げることができる。
【００８２】
シャベル２００柄部の持ち手部分が側溝底面から６００ｍｍ程度の高さで作業するため、側溝内の水位が高い場合でも柄部を持つ手を汚水につけることがなく、腰にかかる負担の軽減と、体力の消耗の軽減を図る効果が大きい。
【００８３】
そして、以上のアタッチメントは、図４から図６に例示したように、一般のシャベルに装着できるように、シャベル２００のすくい部２００ａの先端部を収納するための収納部１９０とシャベル２００の柄部への取付部３００とを備えている。
【００８４】
収納部１９０は、すくい部１００裏面の左右幅方向にわたって設けられることが好ましく、シャベル２００のすくい部の先端の少くとも一部が挿入されて保持されることが好ましい。図７は、角シャベルの先端が収納された例を示しており、角シャベルのすくい部２００ａの先端の左右全域が収納保持されるように、収納部１９０は袋状とされている。
【００８５】
図８は、剣先シャベルのすくい部２００ａが収納された状態を例示しており、この例においては、剣先部分が前方において露出した状態とするために、収納部１９０の左右幅の略中央に開口を設けている。なお、アタッチメントは、一般的に金属製の板金加工されたものが考慮されるが、収納部１９０については袋状、あるいは、帯状等の形状であってよくそのための材料は、金属の帯や線材、組み網、さらには強度のある樹脂製のもの等であってよい。
【００８６】
シャベル２００の柄部への取付部３００についても同様に金属や樹脂製の帯状材、線材、組み網材等としてよく、シャベル２００の柄部の係止部への嵌合、巻きつけ、係合の各種の形態での取付け可能なものとすることができる。
【００８７】
収納部１９０や取付部３００は、アタッチメント底面部１１０裏面や背面部１３０へ、接着、リベットやネジ止め、溶接、その他各種の手段で配設することができる。
【００８８】
例えば以上のアタッチメント１００のさらなる利点は、例えば図９に例示したように、例えばＡ４版ファイルサイズのプラスチックケース４００に収納して保存、管理できることである。複数の場合もプラスチックケースへの保存、収納が容易である。このように、通常の一般的なシャベルの使用が可能であって、しかもこのような簡易な収納、保存ができることから、優れた実用的利点がある。
【００８９】
もちろん、本発明は以上の例示説明に限定されることはない。様々な形態が考慮されてよいからである。例えば、前記の排水用の穴１６、１６０は多様な形状であってよく、格子状に配置されたものであってもよい。
【００９０】
また、本発明のシャベル、そしてアタッチメントは、右利き用、左利き用の対称形で用意されてよいし、両用としてもよい。
【符号の説明】
【００９１】
１、１００  すくい部
１１、１１０  底面部
１２ａ、１２０ａ  側壁面部
１２ｂ、１２ｂ  側壁面部
１３、１３０  背壁面部
１５、１５０  刃先部
１５ａ、１５０ａ  切り欠き
１６、１６０  排水用の穴
１７、１７０  リブ
１８、１８０  境界線
２  シャベル柄部
２００  シャベル
２００ａ  シャベル・すくい部
１９０  収納部
３００  取付け部
【図１】
2018031180.tif 000003
【図２】
2018031180.tif 000004
【図３】
2018031180.tif 000005
【図４】
2018031180.tif 000006
【図５】
2018031180.tif 000007
【図６】
2018031180.tif 000008
【図７】
2018031180.tif 000009
【図８】
2018031180.tif 000010
【図９】
2018031180.tif 000011
【手続補正書】
【提出日】平成29年9月22日(2017.9.22)
【手続補正１】
【補正対象書類名】特許請求の範囲
【補正対象項目名】全文
【補正方法】変更
【補正の内容】
【特許請求の範囲】
【請求項１】
すくい部と柄部とを有する側溝清掃用汎用シャベルであって、
前記すくい部は、底面部と、この底面部の先端の略中央に略Ｖ字状の切り欠きを有する刃先部と、底面部の周縁に立設された側壁面部と、柄部への接続部を備えており、
前記側壁面部のうち、前記底面部の左右幅方向において対向する一対の側壁面部の少くとも一方が、前記底面部の長手方向の途中において前記刃先部の略Ｖ字状の切り欠き側に、前記すくい部の側壁面部の外側が刃先部側で側溝側面に接した際に所定角度内側にオフセットした構造であるように屈折し、前記一対の側壁面部と前記底面部とによって形成される角部の少くとも一方が、曲面形状であることを特徴とする側溝清掃用汎用シャベル。
【請求項２】
前記シャベルの底面部は前記刃先部寄りの位置にて側溝底面部に対し３度以上１０度以下の角度で傾斜する傾斜面部を有していることを特徴とする請求項１に記載の側溝清掃用汎用シャベル。
【請求項３】
前記シャベルの底面部には、前記側壁面部寄りの位置に排水用の穴が設けられていることを特徴とする請求項１または２に記載の側溝清掃用汎用シャベル。
【請求項４】
すくい部と、このすくい部の裏面の左右幅方向にわたって設けられたシャベルすくい部先端部の収納部を有し、収納部にシャベルすくい部の先端の少くとも一部が挿入される側溝清掃用の汎用シャベルアタッチメントであって、
当該アタッチメントの前記すくい部は、底面部と、この底面部の先端の略中央に略Ｖ字状の切り欠きを有する刃先部と、底面部の周縁に立設された側壁面部とを備えており、  前記側壁面部のうち、前記底面部の左右幅方向において対向する一対の側壁面部の一方が、前記底面部の長手方向の途中において前記刃先部の略Ｖ字状の切り欠き側に、前記すくい部の側壁面部の外側が刃先部側で側溝側面に接した際に所定角度内側にオフセットした構造であるように屈折し、前記一対の側壁面部と前記底面部とによって形成される角部の少くとも一方が曲面形状であることを特徴とする側溝清掃用汎用アタッチメント。
【請求項５】
前記アタッチメントの底面部は前記刃先部寄りの位置にて側溝底面部に対し３度以上１０度以下の角度で傾斜する傾斜面部を有していることを特徴とする請求項４に記載の側溝清掃用汎用アタッチメント。
【請求項６】
前記アタッチメントの底面部には、前記側壁面部寄りの位置に排水用の穴が設けられていることを特徴とする請求項４または５に記載の側溝清掃用汎用アタッチメント。
【請求項７】
前記アタッチメントの収納部は袋状であることを特徴とする請求項４から６のうちのいずれか一項に記載の側溝清掃用汎用アタッチメント。
【請求項８】
前記アタッチメントの袋状の収納部では、左右幅方向の略中央の一部に開口が設けられていることを特徴とする請求項７に記載の側溝清掃用汎用アタッチメント。
【手続補正２】
【補正対象書類名】明細書
【補正対象項目名】００２４
【補正方法】変更
【補正の内容】
【００２４】
１Ａ．すくい部と柄部とを有する側溝清掃用汎用シャベルであって、
前記すくい部は、底面部と、この底面部の先端の略中央に略Ｖ字状の切り欠きを有する刃先部と、底面部の周縁に立設された側壁面部と、柄部への接続部を備えており、
前記側壁面部のうち、前記底面部の左右幅方向において対向する一対の側壁面部の一方が、前記底面部の長手方向の途中において前記刃先部の略Ｖ字状の切り欠き側に、前記すくい部の側壁面部の外側が刃先部側で側溝側面に接した際に所定角度内側にオフセットした構造であるように屈折し、前記一対の側壁面部と前記底面部とによって形成される角部の少くとも一方が曲面形状である。
【手続補正３】
【補正対象書類名】明細書
【補正対象項目名】００２８
【補正方法】変更
【補正の内容】
【００２８】
１Ｂ．すくい部と、このすくい部の裏面の左右幅方向にわたって設けられたシャベルすくい部先端部の収納部を有し、収納部にシャベルすくい部の先端の少くとも一部が挿入される側溝清掃用の汎用アタッチメントであって、
当該アタッチメントの前記すくい部は、底面部と、この底面部の先端の略中央に略Ｖ字状の切り欠きを有する刃先部と、底面部の周縁に立設された側壁面部とを備えており、前記側壁面部のうち、前記底面部の左右幅方向において対向する一対の側壁面部の一方が、前記底面部の長手方向の途中において前記刃先部の略Ｖ字状の切り欠き側に、前記すくい部の側壁面部の外側が刃先部側で側溝側面に接した際に所定角度内側にオフセットした構造であるように屈折し、前記一対の側壁面部と前記底面部とによって形成される角部の少くとも一方が曲面形状である。